(57)【特許請求の範囲】
【請求項１】
障子を備えた建具であって、
中空部を備えた金属製の中空部材に設けられ、前記中空部と外部とを連通する連通孔を前記外部から覆う合成樹脂製の樹脂部材を有し、
前記樹脂部材は、前記外部から挿入されて前記中空部材に保持される挿入保持部と、前記連通孔を覆う覆い部と、前記挿入保持部と前記覆い部とを繋ぎ、前記挿入保持部よりも脆弱な連結部と、を有し、
前記挿入保持部または前記覆い部に加熱発泡材が設けられており、
前記中空部材は、前記障子を構成する框材であり、
前記連通孔は前記框材の小口であり、
前記樹脂部材は、前記小口を覆うキャップであり、
前記障子の外周を囲む枠体を備え、
前記キャップは加熱されて前記連結部が破断するとともに、発泡した前記加熱発泡材に押圧され、前記覆い部が前記枠体と発泡した前記加熱発泡材とに挟まれて保持されることを特徴とする建具。
【請求項２】
請求項１に記載の建具であって、
前記挿入保持部は、前記中空部材と係合して保持される係合部を有し、
前記加熱発泡材は、前記挿入保持部に設けられていることを特徴とする建具。
【請求項３】
請求項１または請求項２に記載の建具であって、
前記挿入保持部は、前記連通孔側を向く面を有する孔側面部を有し、
前記孔側面部に前記加熱発泡材が設けられていることを特徴とする建具。
【請求項４】
請求項１または請求項２に記載の建具であって、
前記挿入保持部は、前記連通孔側を向く面を有する孔側面部と、前記孔側面部より前記覆い部側に前記中空部の内面と対向する内面対向部と、を有し、
前記内面対向部に前記加熱発泡材が設けられていることを特徴とする建具。
【請求項５】
請求項１乃至請求項４のいずれかに記載の建具であって、
前記連結部により、前記挿入保持部の前記覆い部と対向する部位の一部と前記覆い部とが繋がっていることを特徴とする建具。
【発明の詳細な説明】
【技術分野】
【０００１】
本発明は、中空部材が備える中空部と外部とを連通する連通孔を覆う樹脂部材を有する建具に関する。
【背景技術】
【０００２】
中空部材が備える中空部と外部とを連通する連通孔を覆う樹脂部材を有する建具としては、例えば、障子の開度を規制する小開口ストッパーが設けられた開口部装置を有する建具が知られている。（例えば、特許文献１参照）。この建具は、小開口ストッパーによる規制状態を切り替える樹脂製の切替操作部が、中空部を備えた縦框の開口部に室内側から塞ぐように設けられ裏板部材にねじ止めされている。そして、裏板部材には、開口部と対向する設置面部にシート状の加熱発泡材が設けられている。
【０００３】
建具に設けられた樹脂製の部材は、アルミニウム等の金属製の框の室内側に設けられている場合であっても、室外側が火元となる火災時に框から熱が伝わり発火する虞があるため、火災発生時には、建具に設けられた樹脂製の部材が発火する前に框から分離されることが望ましい。このため、前述した建具では、火災発生時に発泡して体積が増加した加熱発泡材により開口部から切替操作部を室内側に押圧して落下させるように構成されている。
【先行技術文献】
【特許文献】
【０００４】
【特許文献１】特開２０１４−７７２９２号公報
【発明の概要】
【発明が解決しようとする課題】
【０００５】
上記のような建具は、開口部を塞ぐ樹脂製の部材が裏板部材にねじ止めされているので、樹脂製の部材の取り付けが煩雑である。また、框に設けられた開口部を覆う樹脂製の部材と樹脂製の部材を押圧する加熱発泡材が設けられている裏板部材とは別の部材なので、加熱発泡材が発泡して樹脂製の部材に到達する前に框の熱により樹脂製の部材が加熱されて発火してしまう虞がある。
【０００６】
本発明は、かかる課題に鑑みてなされたものであり、その目的とするところは、容易に取り付けられて開口を覆い、加熱されたときに、より確実に金属製の部位から分離可能な樹脂製の部材を備えた建具を提供することにある。
【課題を解決するための手段】
【０００７】
かかる目的を達成するために本発明の建具は、障子を備えた建具であって、中空部を備えた金属製の中空部材に設けられ、前記中空部と外部とを連通する連通孔を前記外部から覆う合成樹脂製の樹脂部材を有し、前記樹脂部材は、前記外部から挿入されて前記中空部材に保持される挿入保持部と、前記連通孔を覆う覆い部と、前記挿入保持部と前記覆い部とを繋ぎ、前記挿入保持部よりも脆弱な連結部と、を有し、前記挿入保持部または前記覆い部に加熱発泡材が設けられており、前記中空部材は、前記障子を構成する框材であり、前記連通孔は前記框材の小口であり、前記樹脂部材は、前記小口を覆うキャップであり、前記障子の外周を囲む枠体を備え、前記キャップは加熱されて前記連結部が破断するとともに、発泡した前記加熱発泡材に押圧され、前記覆い部が前記枠体と発泡した前記加熱発泡材とに挟まれて保持されることを特徴とする建具である。
【０００８】
このような建具によれば、連通孔を覆う合成樹脂製の樹脂部材は、外部から挿入されて中空部材に保持される挿入保持部と連通孔を覆う覆い部とが連結部で繋がっているので、挿入保持部材を外部から連通孔に挿入するだけで覆い部により連通孔を覆うことが可能である。また、脆弱な連結部により繋がった挿入保持部と覆い部とのいずれかに加熱発泡材が設けられているので、樹脂部材が加熱された際には、連結部が溶融して挿入保持部と覆い部とが分離されるとともに、中空部材内に発泡した加熱発泡材を充満させることが可能である。このため、容易に取り付けられて連通孔を覆い、加熱されたときに、より確実に金属製の部位から分離可能な樹脂部材を備えた建具を提供することにある。
【０００９】
また、障子を構成する框材に合成樹脂製のキャップを挿入するだけで、容易に小口を覆うことが可能であり、火災等により加熱された際には、キャップの覆い部を框材から、より確実に分離させるとともに、発泡した加熱発泡材により小口を塞ぐことが可能である。
【００１０】
また、加熱されて、脆弱な連結部にて破断した樹脂部材の覆い部は、発泡した加熱発泡材により中空部内に保持されている挿入保持部から離れる方向に押圧される。そして、挿入保持部から離れる方向に押圧された覆い部は、障子の外周を囲む枠体と発泡した加熱発泡材とに挟まれて保持されるので、挿入保持部から分離した覆い部が中空部から脱落することを防止することが可能である。
【００１１】
かかる建具であって、前記挿入保持部は、前記中空部材と係合して保持される係合部を有し、前記加熱発泡材は、前記挿入保持部に設けられていることが望ましい。
このような建具によれば、挿入保持部は、中空部材と係合する係合部により中空部材内に確実に保持され、覆い部は連結部により挿入保持部と繋がっているので、連結部が溶融等により破断することにより容易に中空部材から分離することが可能である。また、覆い部と分離されても中空部材に保持される挿入保持部に加熱発泡材が設けられているので覆い部が分離された後には発泡した加熱発泡材により連通孔を塞ぐことが可能である。
【００１２】
かかる建具であって、前記挿入保持部は、前記連通孔側を向く面を有する孔側面部を有し、前記孔側面部に前記加熱発泡材が設けられていることが望ましい。
このような建具によれば、加熱発泡材が、連通孔側を向く面を有する孔側面部に設けられているので、加熱発泡材が発泡することにより連通孔を覆っている覆い部を孔側面部から離れる方向に押圧することが可能である。このため、より早く連結部を破断させて覆い部を挿入保持部から分離させることが可能である。
【００１３】
かかる建具であって、前記挿入保持部は、前記連通孔側を向く面を有する孔側面部と、前記孔側面部より前記覆い部側に前記中空部の内面と対向する内面対向部と、を有し、前記内面対向部に前記加熱発泡材が設けられていることとしてもよい。
【００１４】
このような建具によれば、内面対向部に設けられた加熱発泡材は中空部の内面に向かって発泡し、中空部の内面に到達すると周囲に広がり始める。このため、中空部内により充満させることが可能である。また、挿入保持部は、連通孔側を向く面を有する孔側面部も有しているので、発泡して広がり始めた加熱発泡材は、孔側面部に規制されて連通孔側に広がることになる。このため、連通孔を覆っている覆い部を対面部から離れる方向に押圧して、より早く連結部を破断させて覆い部を挿入保持部から分離させることが可能である。
【００１５】
かかる建具であって、前記連結部により、前記挿入保持部の前記覆い部と対向する部位の一部と前記覆い部とが繋がっていることが望ましい。
このような建具によれば、挿入保持部の、覆い部と対向する部位の一部と、覆い部とが連結部により繋がっている。すなわち、挿入保持部の、覆い部と対向する部位は、その全部が覆い部と繋がっていない。このため、連結部の断面積は、挿入保持部の断面積より小さいので、連結部を挿入保持部より脆弱にすることが可能である。
【発明の効果】
【００１６】
本発明によれば、容易に取り付けられて開口を覆い、加熱されたときに、より確実にアルミニウム製の部位から分離可能な樹脂製の部材を備えた建具を提供することが可能である。
【図面の簡単な説明】
【００１７】
【図１】本実施形態に係る引違い窓用の建具の縦断面図である。
【図２】本実施形態に係る引違い窓用の建具の横断面図である。
【図３】図３（ａ）は、端部キャップが装着された状態を示す斜視図、図３（ｂ）は、端部キャップを外した状態を示す斜視図である。
【図４】図４（ａ）は、端部キャップを室内側から見た斜視図、図４（ｂ）は、端部キャップを室外側から見た斜視図である。
【図５】端部キャップが装着される状態を示す縦断面図である。
【図６】連結部で破断された端部キャップを示す斜視図である。
【図７】熱膨張性黒鉛が膨張した状態を示す側面図である。
【図８】熱膨張性黒鉛が膨張した状態を示す斜視図である。
【発明を実施するための形態】
【００１８】
以下、本発明の一実施形態に係る建具について図面を参照して説明する。
本実施形態の建具は、図１、図２に示すように、内障子２および外障子３を備えた引違い窓用の建具１である。
【００１９】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建具１が取り付けられた状態で上下方向、左右方向、見込み方向等となる方向にて方向を特定して説明する。
【００２０】
本実施形態の建具１は、矩形状に枠組みされた金属としてのアルミニウム製の枠体４と、枠体４に沿って移動可能に設けられ、枠体４により形成され室内と室外とを連通する開口４ａを閉塞可能な内障子２および外障子３と、を備えている。
【００２１】
内障子２および外障子３は、アルミニウム製の押出成形材と合成樹脂製の押出成形部材とが組み合わされた複合材でなる上下２本の横框２１、３１、戸先框２２、３２および召合せ框２３、３３が矩形状に接合された框体２０、３０と、框体２０、３０に周端部が収容された複層ガラス５と、を有している。内障子２および外障子３は、その外周を囲む枠体４の下枠材４１に設けられたレール４１ａに、下側の横框２１、３１に設けられた戸車６が載置され、下枠材４１及び上枠材４２に設けられたレール４１ａ、４２ａに案内されて開口４ａを開閉可能に移動する。
【００２２】
内障子２および外障子３により開口４ａを閉じた状態では、上下の横框２１、３１と戸先框２２、３２は、枠体４に設けられたレール４１ａ、４２ａおよび縦枠に設けられたヒレ状の部位４ｂと係合しているが、召合せ框２３、３３は、上下の端部のみが枠体４と係合し、クレセント錠４ｃにて互いに引き寄せて係止されているだけなので、上下の横框２１、３１および戸先框２２、３２と比較して変形しやすい。このため、内障子２の召合せ框２３には、室外側に位置するアルミニウム製の框本体部２３１の室内側に、長手方向に貫通する中空部２３ａを形成するアルミニウム製の補強部２３２が、上下の横框２１、３１および戸先框２２、３２より室内側に突出させて一体に設けられている。
【００２３】
補強部２３２は、框本体部２３１より短く形成されており、框本体部２３１は、補強部２３２の上端にて中空部２３ａの内外を連通する連通孔としての小口２３２ａより上方及び下端にて中空部２３ａの内外を連通する連通孔としての小口２３２ａより下方にそれぞれ突出している。ここで、内障子２の召合せ框２３のうちの、補強部２３２が一体に設けられている框本体部２３１が中空部材に相当する。
【００２４】
内障子２の召合せ框２３が有する補強部２３２の上下端部となる小口２３２ａには、外部から挿入されて当該小口２３２ａを覆う合成樹脂製の樹脂部材としての端部キャップ７が設けられている。ここで、補強部２３２の小口２３２ａが中空部２３ａと外部とを連通する連通孔(開口)に相当する。本実施形態においては、内障子２の召合せ框２３の外周部を室内側から覆い框本体部２３１とともに複層ガラス５の周端部を保持する合成樹脂製の保持カバー材８が設けられている。
【００２５】
補強部２３２の上下の小口２３２ａを覆う端部キャップ７は、同一の部材である。以下の説明では、上端の小口２３２ａを覆う端部キャップ７を例に挙げ、端部キャップ７が上端の小口２３２ａに取り付けられた状態で上下方向、左右方向、見込み方向等となる方向にて方向を特定して説明する。
【００２６】
端部キャップ７は、図３、図４に示すように、小口２３２ａに中空部２３ａの外部から挿入されて補強部２３２に保持される挿入保持部７０と、小口２３２ａを覆う覆い部７５と、挿入保持部７０と覆い部７５とを繋ぎ、挿入保持部７０及び覆い部７５よりも脆弱な連結部７９と、を有している。
【００２７】
覆い部７５は、小口２３２ａを塞ぐ覆い本体部７６と、覆い本体部７６の左右の縁及び出内側の縁から下方に僅かに垂設された縁部７７と、覆い本体部７６の室外側の縁から上方に延出されて框本体部２３１の室内側の面２３１ａに当接される框当接部７８とを有している。
【００２８】
框当接部７８の室外側の面７８ａには室外側に突出させて、端部キャップ７を補強部２３２に装着した際に框本体部２３１に設けられた係止孔（不図示）に係止される係止片７８ｂが設けられている。係止片７８ｂは、下方に向かって見込み方向の厚みが薄くなるようなテーパ状をなしている。
【００２９】
框当接部７８は、端部キャップ７単体の状態では、上端側の部位が上方に向かって僅かに室外側に湾曲している。このため、端部キャップ７を補強部２３２に装着すると、框当接部７８が弾性により押し戻されて框本体部２３１の室内側の面に当接される。すなわち、框当接部７８が框本体部２３１の室内側の面２３１ａを押圧し、係止片７８ｂが係止孔に係止された状態で補強部２３２に装着される。
【００３０】
挿入保持部７０は、左右方向に対向して板状をなす一対の対向板部７１と、一対の対向板部７１の下端同士を連結する下端連結部７２と、一対の対向板部７１と下端連結部７２の室内側の縁を繋ぐ室内板部７３と、挿入保持部７０の剛性を高めるために下端連結部７２と室内板部７３とを繋ぐ補強リブ７４とを有している。本実施形態では、端部キャップ７が補強部２３２に装着されたときに、下端連結部７２が小口２３２ａ側を向く面を有するので孔側面部に相当し、室内板部７３が中空部２３ａの内面と対向するので内面対向部に相当する。
【００３１】
一対の対向板部７１の下端部には、下方に向かって幅が狭くなるようなテーパ７１ａが設けられており、室内板部７３の室内側の面の下端部には、下方に向かって挿入保持部７０の見込方の幅が狭くなるようなテーパ７３ａが設けられている。
【００３２】
また、室内板部７３の室内側の面には、挿入保持部７０が補強部２３２に挿入された際に、当該補強部２３２の内面と係合することにより挿入保持部７０が補強部２３２に圧入される正面係合部７３ｂが設けられている。正面係合部７３ｂは、上縁が室内板部７３の上縁と一致しており、下端部には、下方に向かって正面係合部７３ｂの見込み方向における厚みが薄くなるようなテーパ７３ｃが設けられている。
【００３３】
一対の対向板部７１には、互いに対向する側と反対側に各々突出させて、挿入保持部７０が補強部２３２に挿入された際に、当該補強部２３２の内面と係合することにより挿入保持部７０が補強部２３２に圧入される側係合部７１ｂが設けられている。側係合部７１ｂは、正面係合部７３ｂと高さ方向において同じ位置に設けられ、下端部には、下方に向かって側係合部７１ｂの見込み方向における厚みが薄くなるようなテーパ７１ｃが設けられている。
【００３４】
一対の対向板部７１は、室内板部７３より上方に延出されており、その上端部が覆い部７５の下面に繋がって連結部７９をなしている。すなわち、挿入保持部７０と覆い部７５とを繋ぐ連結部７９は、挿入保持部７０において覆い部７５と対向する部位の一部と繋がった単なる板状の部位なので、挿入保持部７０において覆い部７５と対向する部位の水平断面における断面積より小さな断面積をなしている。このため、連結部７９は、挿入保持部７０より脆弱である。
本実施形態の端部キャップ７には、挿入保持部７０の室内板部７３における室外側の面７３ｄに、加熱発泡材としての熱膨張性黒鉛９が貼り付けられている。
【００３５】
図５に示すように、端部キャップ７が上方から補強部２３２に装着されると、小口２３２ａを塞ぐ覆い部７５の下に連結部７９で繋がった挿入保持部７０が圧入されて保持されており、一対の対向板部７１、下端連結部７２および室内板部７３と框本体部２３１の室内側の面２３１ａとで囲まれた空間Ｓ（図３）が形成される。熱膨張性黒鉛９は、この空間Ｓ内にて框本体部２３１の室内側の面２３１ａと対面するように配置されている。
【００３６】
本実施形態の建具１は、室外側が火元となる火災の火炎に晒され、内障子２の召合せ框２３の室外側が加熱されると、アルミニウム製の框本体部２３１から補強部２３２に熱が伝わる。このとき、伝わった熱により、合成樹脂製の端部キャップ７が溶融する前に、熱膨張性黒鉛９が膨張し空間Ｓ内に充満するように構成されている。さらに熱膨張性黒鉛９が膨張することにより、空間Ｓから熱膨張性黒鉛９が膨出して補強部２３２の中空部２３ａ内に充満するとともに覆い部７５を下方から押圧する。
【００３７】
熱膨張性黒鉛９の押圧により、加熱されて挿入保持部７０および覆い部７５より溶融された連結部７９が図６に示すように破断し、挿入保持部７０から分離した覆い部７５は、召合せ框２３から分離する、または、下端側の端部キャップ７では覆い部７５が脱落する。これにより、召合せ框２３から分離した覆い部７５は加熱され難くなるため、発火を防止することができる。このとき、分離した覆い部７５が脱落したときに、召合せ框２３とは異なる金属製の部材上に載置される可能性がある場合には、発泡した熱膨張性黒鉛９により下方から押圧されたときに、分離した覆い部７５が発泡した熱膨張性黒鉛９と枠体４とにより挟まれて保持されるように構成してもよい。一方、図７、図８に示すように、補強部２３２の中空部２３ａ内から熱膨張性黒鉛９が膨出し始めるとともに、挿入保持部７０が膨張した熱膨張性黒鉛９に覆われるので発火を防止することができる。
【００３８】
本実施形態の建具１によれば、内障子２の召合せ框２３の小口２３２ａを覆う合成樹脂製の端部キャップ７は、中空部２３ａの外部から挿入されて召合せ框２３の補強部２３２に保持される挿入保持部７０と小口２３２ａを覆う覆い部７５とが連結部７９で繋がっているので、挿入保持部７０を外部から挿入するだけで覆い部７５により小口２３２ａを覆うことが可能である。
【００３９】
また、脆弱な連結部７９により覆い部７５と繋がった挿入保持部７０に熱膨張性黒鉛９が設けられているので、端部キャップ７が加熱された際には、連結部７９が溶融して挿入保持部７０と覆い部７５とが分離されるとともに、補強部２３２内に発泡した熱膨張性黒鉛９を充満させることが可能である。本実施形態の連結部７９は、挿入保持部７０の、覆い部７５と対向する部位の一部、すなわち一対の対向板部７１の端部のみが、覆い部７５と連結部７９により繋がっている。すなわち、挿入保持部７０の、覆い部７５と対向する部位は、その全部が覆い部７５と繋がってはいない。このため、連結部７９の水平方向における断面積は、挿入保持部７０の水平方向における断面積より小さくすることにより、連結部７９をより確実に挿入保持部７０より脆弱にすることが可能である。
【００４０】
分離された覆い部７５は補強部２３２から外れるので加熱されず、覆い部７５からの発火を抑えることが可能である。このため、容易に取り付けられて小口２３２ａを覆い、加熱されたときに、より確実に召合せ框２３から分離可能な覆い部７５を備え、発火しにくい端部キャップ７を有する建具１を提供することにある。
【００４１】
また、挿入保持部７０は、補強部２３２と係合する側係合部７１ｂおよび正面係合部７３ｂにより確実に保持され、挿入保持部７０と連結部７９により繋がっている覆い部７５を、連結部７９が溶融等により破断されることにより容易に補強部２３２から分離することが可能である。このとき、覆い部７５と一体となって挿入保持部７０から分離される框当接部７８は、弾性により框本体部２３１の室内側の面を押圧している状態から開放されるので、係止片７８ｂが係止孔から外れ易くなるとともに、框当接部７８と一体をなす覆い部７５には小口２３２ａから離れる方向に力が作用する。このため、より確実に框当接部７８および覆い部７５を補強部２３２から外すことが可能である。
【００４２】
また、覆い部７５と分離されても補強部２３２の中空部２３ａ内に保持される挿入保持部７０には熱膨張性黒鉛９が設けられているので覆い部７５が分離された後には発泡した熱膨張性黒鉛９により小口２３２ａを塞ぐことが可能である。
【００４３】
また、室内板部７３に設けられた熱膨張性黒鉛９は中空部２３ａの内面に向かって発泡し、中空部２３ａの内面に到達すると周囲に広がり始める。このため、中空部２３ａ内により確実に充満させることが可能である。また、挿入保持部７０は、小口２３２ａ側を向く面を有する下端連結部７２も有しているので、発泡して広がり始めた熱膨張性黒鉛９は、下端連結部７２に規制されて小口２３２ａ側に広がることになる。このため、小口２３２ａを覆っている覆い部７５を室内板部７３から離れる方向に押圧して、より早く連結部７９を破断させて覆い部７５を挿入保持部７０から外すことが可能である。
【００４４】
上記実施形態においては、アルムニウム製の中空部材に設けられ、中空部と外部とを連通する連通孔を、補強部２３２の小口２３２ａとしたが、これに限らず、例えば、内障子２を移動させるためのハンドル等の合成樹脂製の部材が設けられている開口であっても構わない。
【００４５】
上記実施形態においては、金属製の中空部材をアルミニウム製としたが、これに限らず、例えば鉄製やステンレス製であっても構わない。
また上記実施形態においては、脆弱な連結部７９を、一対の対向板部７１の端部のみが覆い部７５と繋がる構成として説明したが、脆弱な連結部は、挿入保持部７０より融点が低い部材にて形成する、或いは、連結部の厚みを挿入保持部７０より薄くするなど、挿入保持部７０より早く溶融する構成であれば構わない。
【００４６】
上記実施形態においては、中空部２３ａの内面に向く室内板部７３に熱膨張性黒鉛９が設けられている例について説明したが、これに限らず、熱膨張性黒鉛９が小口２３２ａ側を向く面を有する下端連結部７２の小口２３２ａ側の面に設けられていてもよい。この場合には、熱膨張性黒鉛９が発泡することにより小口２３２ａを覆っている覆い部７５を下端連結部７２から離れる方向に押圧することが可能である。このため、より早く連結部７９を破断させて覆い部７５を挿入保持部７０から外すことが可能である。
【００４７】
また、上記実施形態においては、挿入保持部７０側に熱膨張性黒鉛９が設けられている例について説明したが、熱膨張性黒鉛９は覆い部７５の挿入保持部７０に向く面に設けられていても構わない。
【００４８】
上記実施形態においては、樹脂部材としての端部キャップ７が、引違い窓用の建具１の内障子２における召合せ框２３に設けられている例について説明したが、これに限らず、例えば互いに突合わされる２枚の突き合わせ障子と２枚の袖障子を有する４枚建の建具における突合せ框等、中空部を備える部材であれば構わない。また、端部キャップ７が装着される中空部材をアルミニウム製の部材と合成樹脂製の部材との複合材でなる召合せ框２３としたが、これに限らず、中空部を有し中空部と外部とを連通する連通孔を有する金属製の部材であれば構わない。
【００４９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５０】
１  建具、２  内障子、７  端部キャップ、９  熱膨張性黒鉛、２３  召合せ框、
２３ａ  中空部、７０  挿入保持部、７１  対向板部、７１ｂ  側係合部、
７２  下端連結部、７３  室内板部、７３ｂ  正面係合部、７５  覆い部、
７９  連結部、２３２  補強部、２３２ａ  小口、
【図１】
0006497888.tif 000002
【図２】
0006497888.tif 000003
【図３】
0006497888.tif 000004
【図４】
0006497888.tif 000005
【図５】
0006497888.tif 000006
【図６】
0006497888.tif 000007
【図７】
0006497888.tif 000008
【図８】
0006497888.tif 000009